(57)【要約】【課題】相手のことを心遣いながら、電話していいか打診することを可能とし、また、着信側も打診の着信音を小さくすることで突然の着信音に迷惑することをなくすこと。【解決手段】通常の電話発信を行う通信制御部６と、現在電話をかけて良いかを着信側に打診する打診呼制御部５とを備え、前記打診呼制御部５で、現在電話をかけて良いかを前記着信側に打診した後、前記着信側から電話をかけて良いの通知を受けたとき、前記通信制御部６で通常の電話発信を行う。【選択図】図１
2008236118.tif 000002
【特許請求の範囲】
【請求項１】
通常の電話発信を行う通信制御部と、
現在電話をかけて良いかを着信側に打診する打診呼制御部とを備え、
前記打診呼制御部で、現在電話をかけて良いかを前記着信側に打診した後、前記着信側から電話をかけて良いの通知を受けたとき、前記通信制御部で通常の電話発信を行うことを特徴とした携帯端末。
【請求項２】
前記打診呼制御部は、前記打診の通知後、前記着信側から一定期間、応答を受け取れない場合、通常の電話発信を行わないことを特徴とした請求項１記載の携帯端末。
【請求項３】
相手側から、前記打診の通知を受信した場合、前記打診呼制御部は、入力手段により選択された電話をかけて良い、迷惑、折返し電話する、の何れかを前記相手側に通知することを特徴とした請求項１又は２記載の携帯端末。
【請求項４】
現在電話をかけて良いかを着信側に打診した後、前記着信側から電話をかけて良いの通知を受けたとき、通信制御部に通常の電話発信の指示を行う打診呼制御部と、
前記打診呼制御部の指示により通常の電話発信を行う通信制御部として、携帯可能なコンピュータを機能させるためのプログラム。
【発明の詳細な説明】
【技術分野】
【０００１】
本発明は、携帯電話等の携帯端末に対して「打診呼制御機能」を追加することにより、発信者が、発信時に「打診あり発信」ボタンを使って発信すると「打診通知コード」及び「操作選択メッセージ」付き予備発信ＳＥＴＵＰ（セットアップ）信号が着信側に通知され、その応答として、着信者の状態として、かけて良いのか、迷惑なのか、折り返し電話がくるのか等を、ＲＥＬＥＡＳＥ（リリース）信号に付与されるキー（ボタン）情報（例えば、サイドキー番号）をもとに、発信側で知ることができるようにする携帯端末及びプログラムに関する。
【０００２】
特に、携帯電話等の携帯端末にて、予備発信（打診通知）結果、着信側が発信を受け付けてくれることを知ったとき、本発信により通常の呼び出し動作及び通話をすことを可能とし、着信側の「防衛機能」ではなく、発信側の「気づかい機能」を追加することによって、発信側の電話をすることへの遠慮を取り去り、さらに、着信側の迷惑を防止する方法が求められていた。
【背景技術】
【０００３】
従来の携帯電話で着信を拒否する場合、着信側の利用者が発信側の電話通知の電話番号を見て、その着信を拒否する機能が実装されていた。
【０００４】
また、発信相手からの着信に対して直ちに通話できない場合に、記憶手段に記憶され選択手段で選択されたメッセージを、前記発信相手に送出するもの、及び、メッセージは、着信が生じる前に予め、前記選択手段により選択されているものがあった（特許文献１参照）。
【０００５】
さらに、発信者側からの着信時に、応答保留メッセージが表示部に表示され、操作部を介して、受信者側の着信状況に応じた応答保留メッセージが選択設定されると、その選択設定された応答保留メッセージが、発信者側に音声データとして通知されるものがあった（特許文献２参照）。
【特許文献１】特開平１０−２４３０８６号公報
【特許文献２】特開２００５−３９７５０号公報
【発明の開示】
【発明が解決しようとする課題】
【０００６】
従来の携帯端末の機能では、着信を拒否する操作をしている間は、呼出し音が連続して鳴るため、電車の中とか静かな場所では、着信側にとっては迷惑な状態になっていた。
【０００７】
また、発信側も「いま、電話すると、相手が迷惑するのでは？」という気づかいによって、発信することに対する遠慮が起きるため、通話量が増えない要因の一つになっていた。
【０００８】
本発明はこのような従来の課題を解決し、相手のことを心遣いながら、電話していいか打診することを可能とし、また、着信側も、突然の着信音に迷惑することをなくすことを目的する。
【課題を解決するための手段】
【０００９】
図１は本発明の携帯端末の説明図である。図１中、１は携帯端末、２は打診発呼キー入力部、３は表示操作部、４はキー入力部、５は打診呼制御部、６は通信制御部、７は無線制御部である。
【００１０】
本発明は、上記従来の課題を解決するため、次のように構成した。
【００１１】
（１）：通常の電話発信を行う通信制御部６と、現在電話をかけて良いかを着信側に打診する打診呼制御部５とを備え、前記打診呼制御部５で、現在電話をかけて良いかを前記着信側に打診した後、前記着信側から電話をかけて良いの通知を受けたとき、前記通信制御部６で通常の電話発信を行う。このため、相手のことを心遣いながら、電話していいか打診することが可能となりまた、着信側も、打診の着信音を小さくすることで突然の着信音に迷惑することをなくすことができる。
【００１２】
（２）：前記（１）の携帯端末において、前記打診呼制御部５は、前記打診の通知後、前記着信側から一定期間、応答を受け取れない場合、通常の電話発信を行わない。このため、着信側から一定期間、応答がないので今電話にでれない状態であると判断することができる。
【００１３】
（３）：前記（１）又は（２）の携帯端末において、相手側から、前記打診の通知を受信した場合、前記打診呼制御部５は、入力手段により選択された電話をかけて良い、迷惑、折返し電話する、の何れかを前記相手側に通知する。このため、相手側に現在の状態を直ぐに通知することができる。
【発明の効果】
【００１４】
本発明によれば次のような効果がある。
【００１５】
（１）：打診呼制御部で、現在電話をかけて良いかを前記着信側に打診した後、前記着信側から電話をかけて良いの通知を受けたとき、前記通信制御部で通常の電話発信を行うため、相手のことを心遣いながら、電話していいか打診することが可能となりまた、着信側も、打診の着信音を小さくすることで突然の着信音に迷惑することをなくすことができる。
【００１６】
（２）：打診呼制御部で、打診の通知後、着信側から一定期間、応答を受け取れない場合、通常の電話発信を行わないため、着信側から一定期間、応答がないので今電話にでれない状態であると判断することができる。
【００１７】
（３）：相手側から、打診の通知を受信した場合、打診呼制御部で、入力手段により選択された電話をかけて良い、迷惑、折返し電話する、の何れかを前記相手側に通知するため、相手側に現在の状態を直ぐに通知することができる。
【発明を実施するための最良の形態】
【００１８】
（１）：携帯端末（装置）の説明
図１は携帯端末の説明図である。図１において、携帯端末１には、打診発呼キー入力部２、表示操作部３、キー入力部４、打診呼制御部５、通信制御部６、無線制御部７が設けてある。
【００１９】
打診発呼キー入力部２は、打診あり発信を行う入力手段（例えば、通常発信キーの近くに設ける）及び打診通知に対する応答を行うための入力手段（例えば、サイドキー）である。なお、打診発呼キー入力部２は、機能キー等と通常のキーを組み合わせて使用する又はメニュ−画面で選択する等で別に設けないで、使用するキーを少なくすることもできる。表示操作部３は、情報の表示を行う表示手段である。キー入力部４は、電話番号等の入力を行う通常の携帯端末の入力手段である。打診呼制御部５は、制御識別としての「打診通知コード」と「操作選択メッセージ」を予備発信ＳＥＴＵＰ信号のユーザデータ部に設定した後、予備発信ＳＥＴＵＰ信号を着側に通知する打診呼制御機能（打診呼制御手段）である。通信制御部６は、電話、メール等の通信制御手段である。無線制御部７は、電話やメール発信等の無線制御を行う無線制御手段である。
【００２０】
（２）：電話をかけてもいいですか着信方式の説明
携帯電話等の携帯端末に対して「打診呼制御機能」（打診呼制御部５）を追加する。発信側（発側）の携帯電話から発信する場合、電話番号（例えば「090-1111-3333 」）を入力した後、「打診呼あり発信」ボタンを押下する。「打診呼制御機能」では、制御識別としての「打診通知コード」（例えば、44444444）と「操作選択メッセージ」（例えば、「電話可能な場合はサイドキー１を、迷惑な場合はサイドキー２を、折返しかける場合はサイドキー３を押してください」というメッセージ）を予備発信ＳＥＴＵＰ信号のユーザデータ部に設定した後、予備発信ＳＥＴＵＰ信号を着信側（着側）に通知する。
【００２１】
「打診通知コード」と「操作選択メッセージ」のユーザデータ付きの予備発信ＳＥＴＵＰ信号を受信した着信側は、打診通知用に実装されている静かな通知音（例えば、“ポロン♪”）とＬＥＤ（発光ダイオード）の発光を操作した後、表示画面に「090-1111-3333 」から打診通知です。電話可能な場合はサイドキー１を、迷惑な場合はサイドキー２を、折返しかける場合はサイドキー３を押してください」と表示する。
【００２２】
一定時間（例えば、５秒）以内に打診応答用のボタン（例えば、サイドキー）を押さなかったときは、「打診通知待ちタイマー」のタイムアウト（Ｔ．Ｏ．）を契機に、自動的に「打診通知待ちＴ．Ｏ．」ユーザデータ付きのＲＥＬＥＡＳＥ信号を発信側に通知する。着信側のタイムアウトを通知された場合、相手が出ることのできない状態にあると理解し、発信側では、ＲＥＬＥＡＳＥ−ＣＯＮＦ信号（確認の応答信号）を送信したあと、それ以後の通常発信動作を行わない。
【００２３】
一定時間以内にサイドキーを押下した場合、「打診通知」ユーザデータ付きのＲＥＬＥＡＳＥ信号が発信側に通知される。この場合、発信側では、表示画面に「090-1111-2222 は、今、電話可能です。」（例えば、サイドキー１を押下）、「090-1111-2222 は、今、電話が迷惑な状態です。」（例えば、サイドキー２を押下）もしくは「090-1111-2222 から、折返し電話します。」（例えば、サイドキー３を押下）というメッセージが表示され、それに対する発信側の処理を発信側が選択することが可能となる。
【００２４】
相手から「今、電話可能です。」と通知されたときのみ、その後の通常発信動作を自動で行うことになる。これにより、相手のことを心遣いながら、電話していいか打診することが可能であり、また、着信側も、突然の着信音に迷惑することがなくなる。
【００２５】
（３）：打診呼制御機能（予通知待ちＴ．Ｏ．時）の説明
図２は打診呼制御機能（打診待ちＴ．Ｏ．時）の処理フローチャートである。以下、図２の処理Ｓ１〜Ｓ１３に従って説明する。
【００２６】
Ｓ１：発信側の打診呼制御部５は、キー入力部４より電話番号（例えば、090-111-2222）が入力され、打診あり発信ボタン押下（又は表示された画面を選択）を検出すると処理Ｓ２に移る。
【００２７】
Ｓ２：発信側の打診呼制御部５は、「打診通知コード」と「打診メッセージ」をＳＥＴＵＰ信号のユーザデータ部に設定し、処理Ｓ３に移る。
【００２８】
Ｓ３：発信側の打診呼制御部５は、着信側に対して打診呼（打診通知コードと打診メッセージを付加したＳＥＴＵＰ信号；予備発信ＳＥＴＵＰ信号）発信（無線制御部７により）を行い、処理Ｓ４に移る。
【００２９】
Ｓ４：着信側の打診呼制御部５は、発信側からの打診呼を無線制御部７により受け付け、該受け付け応答信号を発信側に返し、処理Ｓ５に移る。
【００３０】
Ｓ５：着信側の打診呼制御部５は、着信用の音を鳴らし、ＬＥＤを点灯し、処理Ｓ６に移る。
【００３１】
Ｓ６：着信側の打診呼制御部５は、表示操作部３により、打診メッセージの表示を行い、処理７に移る。なお、図２の右側は、打診メッセージの表示例であり、「090-111-3333からの打診通知です、電話可能：サイドキー１、電話迷惑：サイドキー２、折返返信：サイドキー３を押して下さい」が示されている。
【００３２】
Ｓ７：着信側の打診呼制御部５は、打診待ちタイマーを設定し、処理Ｓ８に移る。
【００３３】
Ｓ８：着信側の打診呼制御部５は、打診待ちタイマーの判定を行い、打診待ちタイマーがタイムアウト（Ｔ．Ｏ．）していなければ処理Ｓ９に移り、タイムアウトしていれば処理Ｓ１２に移る。
【００３４】
Ｓ９：着信側の打診呼制御部５は、サイドキーが押下されたか判定する。この例では押下が無い場合なので処理Ｓ８に戻る。
【００３５】
Ｓ１０：発信側の打診呼制御部５は、着信側から打診呼受け付け応答信号を無線制御部７により受信すると打診待ちタイマーを設定し、処理Ｓ１１に移る。
【００３６】
Ｓ１１：発信側の打診呼制御部５は、前記処理Ｓ１０で設定した打診待ちタイマーの判定を行う。この場合はタイムアウトとなり、処理Ｓ１３に移る。
【００３７】
Ｓ１２：着信側の打診呼制御部５は、打診通知がタイムアウトしたＲＥＬＥＡＳＥ信号（打診通知Ｔ．Ｏ．）を発信側に通知（無線制御部７により）し、打診応答の切断を行い、着信側の処理を終了する。
【００３８】
Ｓ１３：発信側の打診呼制御部５は、着信側から打診通知がタイムアウトしたＲＥＬＥＡＳＥ信号を無線制御部７により受信し、ＲＥＬＥＡＳＥ−ＣＯＮＦ信号を返すとともに、打診通知がタイムアウトした（相手が出ることのできない状態である）ことを表示操作部３により表示し、発信側の処理を終了する。なお、着信側から打診通知がタイムアウトしたＲＥＬＥＡＳＥ信号がなくとも、前記処理Ｓ１１でタイムアウトとなると相手が出ることのできない状態であると判断して、このことを表示操作部３により表示し、発信側の処理を終了する。
【００３９】
（４）：打診呼制御機能（折返し電話します）の説明
図３は打診呼制御機能（折返し電話します）の処理フローチャートである。以下、図３の処理Ｓ２１〜Ｓ３３に従って説明する。
【００４０】
Ｓ２１：発信側の打診呼制御部５は、キー入力部４より電話番号（例えば、「090-111-2222」）が入力され、打診あり発信ボタン押下（又は表示された画面を選択）を検出すると処理Ｓ２２に移る。
【００４１】
Ｓ２２：発信側の打診呼制御部５は、「打診通知コード」と「打診メッセージ」をＳＥＴＵＰ信号のユーザデータ部に設定し、処理Ｓ２３に移る。
【００４２】
Ｓ２３：発信側の打診呼制御部５は、着信側に対して打診呼（打診通知コードと打診メッセージを付加したＳＥＴＵＰ信号；予備発信ＳＥＴＵＰ信号）発信（無線制御部７により）を行い、処理Ｓ２４に移る。
【００４３】
Ｓ２４：着信側の打診呼制御部５は、発信側からの打診呼を無線制御部７により受け付け、該受け付け応答信号を発信側に返し、処理Ｓ２５に移る。
【００４４】
Ｓ２５：着信側の打診呼制御部５は、着信用の音を鳴らし、ＬＥＤを点灯し、処理Ｓ２６に移る。
【００４５】
Ｓ２６：着信側の打診呼制御部５は、表示操作部３により、打診メッセージの表示を行い、処理２７に移る。なお、図３の右側は、打診メッセージの表示例であり、「090-111-3333からの打診通知です、電話可能：サイドキー１、電話迷惑：サイドキー２、折返返信：サイドキー３を押して下さい」が示されている。
【００４６】
Ｓ２７：着信側の打診呼制御部５は、打診待ちタイマーを設定し、処理Ｓ２８に移る。
【００４７】
Ｓ２８：着信側の打診呼制御部５は、打診待ちタイマーの判定を行い、打診待ちタイマーがタイムアウト（Ｔ．Ｏ．）していなければ処理Ｓ２９に移る。この例ではタイムアウトしない場合である。
【００４８】
Ｓ２９：着信側の打診呼制御部５は、サイドキーが押下されたか判定する。サイドキーが押下された場合は処理Ｓ３２に移り、押下がない場合は処理Ｓ２８に戻る。この例ではサイドキー３を押下した場合である。
【００４９】
Ｓ３０：発信側の打診呼制御部５は、着信側から打診呼受け付け応答信号を無線制御部７により受信すると打診待ちタイマーを設定し、処理Ｓ３１に移る。
【００５０】
Ｓ３１：発信側の打診呼制御部５は、前記処理Ｓ３０で設定した打診待ちタイマーの判定を行う。この場合はタイムアウトしないで処理Ｓ３３に移る。
【００５１】
Ｓ３２：着信側の打診呼制御部５は、折返し返信する（サイドキー３）ＲＥＬＥＡＳＥ信号を発信側に通知（無線制御部７により）し、打診応答の切断を行い、着信側の処理を終了する。
【００５２】
Ｓ３３：発信側の打診呼制御部５は、着信側から受信した打診応答のＲＥＬＥＡＳＥ信号を無線制御部７により受信し、ＲＥＬＥＡＳＥ−ＣＯＮＦ信号を返すとともに、打診応答を表示操作部３により表示し、発信側の処理を終了する。この表示例は、「090-111-2222から、折返し電話をかけてくれます。」となる。
【００５３】
（５）：打診呼制御機能（電話可能）の説明
図４は打診呼制御機能（電話可能）の処理フローチャートである。以下、図４の処理Ｓ４１〜Ｓ５５に従って説明する。
【００５４】
Ｓ４１：発信側の打診呼制御部５は、キー入力部４より電話番号（例えば、090-111-2222）が入力され、打診あり発信ボタン押下（又は表示された画面を選択）を検出すると処理Ｓ４２に移る。
【００５５】
Ｓ４２：発信側の打診呼制御部５は、「打診通知コード」と「打診メッセージ」をＳＥＴＵＰ信号のユーザデータ部に設定し、処理Ｓ４３に移る。
【００５６】
Ｓ４３：発信側の打診呼制御部５は、着信側に対して打診呼（打診通知コードと打診メッセージを付加したＳＥＴＵＰ信号；予備発信ＳＥＴＵＰ信号）発信（無線制御部７により）を行い、処理Ｓ４４に移る。
【００５７】
Ｓ４４：着信側の打診呼制御部５は、発信側からの打診呼を無線制御部７により受け付け、該受け付け応答信号を発信側に返し、処理Ｓ４５に移る。
【００５８】
Ｓ４５：着信側の打診呼制御部５は、着信用の音を鳴らし、ＬＥＤを点灯し、処理Ｓ４６に移る。
【００５９】
Ｓ４６：着信側の打診呼制御部５は、表示操作部３により、打診メッセージの表示を行い、処理４７に移る。なお、図４の右側は、打診メッセージの表示例であり、「090-111-3333から打診通知です、電話可能：サイドキー１、電話迷惑：サイドキー２、折返返信：サイドキー３を押して下さい」が示されている。
【００６０】
Ｓ４７：着信側の打診呼制御部５は、打診待ちタイマーを設定し、処理Ｓ４８に移る。
【００６１】
Ｓ４８：着信側の打診呼制御部５は、打診待ちタイマーの判定を行い、打診待ちタイマーがタイムアウト（Ｔ．Ｏ．）していなければ処理Ｓ４９に移る。この例ではタイムアウトしない場合である。
【００６２】
Ｓ４９：着信側の打診呼制御部５は、サイドキーが押下されたか判定する。サイドキーが押下された場合は処理Ｓ５２に移り、押下がない場合は処理Ｓ４８に戻る。この例ではサイドキー１を押下した場合である。
【００６３】
Ｓ５０：発信側の打診呼制御部５は、着信側から打診呼受け付け応答信号を無線制御部７により受信すると打診待ちタイマーを設定し、処理Ｓ５１に移る。
【００６４】
Ｓ５１：発信側の打診呼制御部５は、前記処理Ｓ５０で設定した打診待ちタイマーの判定を行う。この場合はタイムアウトしないで処理Ｓ５３に移る。
【００６５】
Ｓ５２：着信側の打診呼制御部５は、電話が可能である（サイドキー１）ＲＥＬＥＡＳＥ信号を発信側に通知（無線制御部７により）し、打診応答の切断を行う。
【００６６】
Ｓ５３：発信側の打診呼制御部５は、着信側から受信した打診応答のＲＥＬＥＡＳＥ信号を無線制御部７により受信し、ＲＥＬＥＡＳＥ−ＣＯＮＦ信号を返すとともに、打診応答を表示操作部３により表示し、処理Ｓ５４に移る。この表示例は、「090-111-2222は、電話可能です。」となる。
【００６７】
Ｓ５４：発信側の打診呼制御部５は、通信制御部６により通常発信のＳＥＴＵＰ信号（呼び出し信号）の発信（無線制御部７により着信側に）を行い、処理Ｓ５５に移る。この例では、自動で通常発信を行う説明であるが、通常発信のボタンを押すようにすることもできる。
【００６８】
Ｓ５５：発信側の通信制御部５は、無線制御部７により着信側からＣＡＬＬＣＯＮＦ（呼び出し応答）信号を受信し、ＡＬＥＲＴ信号を返し、通常の音声による着信側との接続処理を行い、この処理を終了する。
【００６９】
（６）：利用シーンの説明
以下、会社員のＡさんが、Ｂさんから携帯電話に電話を受けた場面の説明をする。
【００７０】
(1) 会社員のＡさんは、通常の音声着信及びメール着信用の呼び出し音に、好きなロック音楽を設定してある。
【００７１】
(2) さらに、Ａさんは予備発信用の呼び出し動作として、携帯電話のバイブレータを一瞬（ブルッ）だけ振動させるように設定してある。
【００７２】
(3) Ａさんに電話をかけたいＢさんは、Ａさんのことをきづかって、予備発信ボタンを使ってＡさんに予備発信を行った。
【００７３】
(4) 電車に乗っていたＡさんの携帯電話が一瞬「ブルッ」と震えたので、すぐに「あとで電話します」用のサイドボタンを押して、電車を降りた時に電話をかけることが可能となった。
【００７４】
(5) 予備発信を使わない場合、電車の中でＡさんの携帯電話からロック音楽が鳴り響き、発信側が発信をあきらめるか、Ａさんが着信拒否ボタンを押すまでロック音楽が電車内に鳴り響くことになる。
【００７５】
このように、携帯電話等の携帯端末に対して「打診呼制御機能」を追加することにより、発信者が、発信時に「打診あり発信」ボタンを使って発信すると、「打診通知コード」および「操作選択メッセージ」付きＳＥＴＵＰ信号が着信側に通知され、その応答として、着信者の状態として、迷惑なのか、折返し電話がくるのかをＲＥＬＥＡＳＥ信号により通知される「選択サイドキー」情報をもとに発信側で知ることが可能となる。
【００７６】
さらには、ＳＥＴＵＰ信号とＲＥＬＥＡＳＥ信号だけを利用して打診機能を実現することを可能とするため、呼制御以外のメッセージ（たとえば、メールなど）を使わないで機能を実現できるため、交換機の負荷を低くする効果もある。
【００７７】
（７）：プログラムインストールの説明
打診発呼キー入力部２、表示操作部３、キー入力部４、打診呼制御部５、通信制御部６、無線制御部７等はプログラムで構成でき、主制御部（ＣＰＵ）が実行するものであり、主記憶に格納されているものである。このプログラムは、携帯可能なコンピュータ（情報処理装置）で処理されるものである。このコンピュータは、主制御部、主記憶、ファイル装置、表示装置等の出力装置、入力装置などのハードウェアで構成されている。
【００７８】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。
【図面の簡単な説明】
【００７９】
【図１】本発明の携帯端末の説明図である。
【図２】本発明の打診呼制御機能（打診待ちＴ．Ｏ．時）の処理フローチャートである。
【図３】本発明の打診呼制御機能（折返し電話します）の処理フローチャートである。
【図４】本発明の打診呼制御機能（電話可能）の処理フローチャートである。
【符号の説明】
【００８０】
１  携帯端末
２  打診発呼キー入力部
３  表示操作部
４  キー入力部
５  打診呼制御部
６  通信制御部
７  無線制御部
【図１】
2008236118.tif 000003
【図２】
2008236118.tif 000004
【図３】
2008236118.tif 000005
【図４】
2008236118.tif 000006